(57)【要約】【課題】前面扉の開閉に伴うケーブルの挙動を安定させることが可能な遊技機を提供する。【解決手段】本発明のパチンコ遊技機１０では、遊技機本体９０とその一側辺に回動可能に連結された前面扉９５との間を連絡する第２前面ハーネス９１Ｂのうち遊技機本体９０及び前面扉９５における回動軸寄り位置同士の間に差し渡されたケーブル中間可動部９１Ｃが前面扉９５の回動に伴って変形するようになっている。また、遊技機本体９０の前面には、前面扉９５に向かって開放して、ケーブル中間可動部９１Ｃを収容可能なケーブル収容部９１Ｓが形成されている。一方、前面扉９５の後面には、ケーブル規制突壁４１が突出形成され、そのケーブル規制突壁４１の突出の先端は基端より前面扉９５の回動軸側に位置し、ケーブル中間可動部９１Ｃの前面扉９５側の端部に対して、回動軸と反対側から当接しかつ上下動を許容するようになっている。【選択図】図１６
2011050421.tif 000002
【特許請求の範囲】
【請求項１】
ベース体の一側辺に回動可能に連結された開閉体が、通常は、前記ベース体の前面に重ねられた閉止状態とされ、前記ベース体の前面が離れる側に回動して開放状態になると共に、前記ベース体及び前記開閉体との間を連絡するケーブルのうち前記ベース体及び前記開閉体における回動軸寄り位置同士の間に差し渡されたケーブル中間可動部が前記開閉体の回動に伴って変形する遊技機において、
前記ベース体の前面には、前記開閉体に向かって開放して、前記ケーブル中間可動部の少なくとも一部を収容するケーブル収容部が形成され、
前記開閉体の後面に突出形成され、その突出の基端より先端が前記回動軸側に位置し、前記開放状態から前記閉止状態へと変化する過程で前記ケーブル中間可動部に対して前記回動軸と反対側から当接可能に構成されると共に、当接した場合には前記閉止状態となるまでの間に前記ケーブル中間可動部の少なくとも一部を前記回動軸方向に押さえながら回動して前記ケーブル中間可動部を折れ曲がった状態へと変化させるか或いは前記ベース体の奥側へ移動させて前記ケーブル中間可動部の少なくとも一部を前記ケーブル収容部に収容させるケーブル規制突壁を備えたことを特徴とする遊技機。
【請求項２】
前記ケーブルの一部を前記ベース体に固定して、前記ケーブル中間可動部のベース体側端部を前記回動軸の軸方向に延びた状態に保持するベース体側ケーブル固定部が備えられていることを特徴とする請求項１に記載の遊技機。
【請求項３】
前記ベース体側ケーブル固定部と前記ケーブル規制突壁とを前記回動軸の軸方向でずらして配置したことを特徴とする請求項２に記載の遊技機。
【請求項４】
前記開放状態では、前記ベース体側ケーブル固定部から前記回動軸と略平行に延びた前記ケーブル中間可動部が途中で、前側に屈曲して前記ケーブル規制突壁の内側に向かって延び、
前記閉止状態では、前記ベース体側ケーブル固定部から前記回動軸と略平行に延びた前記ケーブル中間可動部が途中で、折り返されてから前側に屈曲して前記ケーブル規制突壁の内側に向かうように前記ケーブル中間可動部が取り廻されていることを特徴とする請求項２又は３に記載の遊技機。
【請求項５】
前記開閉体のうち前記ケーブル規制突壁より前記回動軸寄り位置から後方に突出して、前記ケーブル規制突壁との間で前記ケーブル中間可動部を挟んで対向したケーブル受け壁と、
前記ケーブル規制突壁及び前記ケーブル受け壁のうち前記回動軸の軸方向における一端部間を連絡した連結補強壁とを備えたことを特徴とする請求項１乃至４の何れか１の請求項に記載の遊技機。
【請求項６】
前記開放状態から前記閉止状態へと変化する過程で、前記ケーブル中間可動部は、前記ケーブル収容部のうち前記回動軸から離れた側の開口縁に摺接しながら前記ケーブル収容部に徐々に収容されて折り返し部分における湾曲度合いが大きくなると共に、前記ケーブル規制突壁の先端縁に摺接しながら前記ケーブル規制突壁内への導入部分における屈曲度合いが大きくなるように構成されたことを特徴とする請求項４に記載の遊技機。
【請求項７】
前記連結補強壁の先端縁における前記回動軸側の端部を切り欠いて、前記ケーブル中間可動部との干渉量を抑えたことを特徴とする請求項５に記載の遊技機。
【請求項８】
前記ケーブル規制突壁の内面のうち先端縁が、前記ケーブル収容部における前記回動軸と反対側の内面の先端縁に対して前記回動軸から同一距離、又は、前記回動軸に近い側に配置されていることを特徴とする請求項１乃至７の何れか１の請求項に記載の遊技機。
【請求項９】
前記ケーブル規制突壁の先端縁が前記ケーブル収容部のうち前記回動軸から離れた側の縁部より前記回動軸側に配置されていることを特徴とする請求項１乃至７の何れか１の請求項に記載の遊技機。
【請求項１０】
前記閉止状態で前記ケーブル規制突壁のうち少なくとも前記ケーブル規制突壁の先端縁が前記ケーブル収容部に受容されるように構成したことを特徴とする請求項９に記載の遊技機。
【請求項１１】
前記ケーブル規制突壁は、前記ケーブル収容部側に膨出するように湾曲していることを特徴とする請求項１乃至１０の何れか１の請求項に記載の遊技機。
【請求項１２】
前記ケーブル規制突壁の先端縁は、前記開放状態か前記閉止状態かに拘わらず、常時前記ケーブル中間可動部に当接可能な長さを有していることを特徴とする請求項１乃至１１の何れか１の請求項に記載の遊技機。
【請求項１３】
前記ケーブルは、前記開閉体及び前記ベース体の電気部品を電気接続する導電ケーブルであることを特徴とする請求項１乃至１２に記載の遊技機。
【請求項１４】
板状をなして前記開閉体の後面に重ねて取り付けられ、前記ケーブルのうち、前記ケーブル中間可動部よりも一端側の少なくとも一部を前記ベース体側から覆うケーブルカバーを備え、前記ケーブル規制突壁は前記ケーブルカバーに一体に備えられていることを特徴とする請求項１乃至１３の何れか１の請求項に記載の遊技機。
【請求項１５】
前記ケーブルは、前記開閉体及び前記ベース体の電気部品を電気接続する導電ケーブルであり、
前記開閉体の下方には、前記ベース体の前面を覆う前面下側開閉扉が備えられ、前記ベース体の前面のうち前記前面下側開閉扉にて覆われた部分に、前記導電ケーブルを電気接続するための電気接続部を配置したことを特徴とする請求項１乃至１４のうちの何れか１の請求項に記載の遊技機。
【発明の詳細な説明】
【技術分野】
【０００１】
本発明は、ベース体とその一側辺に回動可能に連結された開閉体との間を連絡するケーブルを備え、そのケーブルの中間部分が開閉体の回動に伴って変形する遊技機に関する。
【背景技術】
【０００２】
従来、この種の遊技機として、図２０及び図２１に示したものが知られている（例えば、特許文献１参照）。この遊技機では、遊技機本体１に含まれる前面枠２の内側面にケーブル収容部３が形成される一方、開閉体４の後面４Ａに取り付けられたケーブルカバープレート５に切り欠き５Ａが形成され、ケーブル９の中間部分がケーブル収容部３の奥部と切り欠き５Ａとの間に差し渡されている。そして、前面扉４を開いた開放状態にすると、図２０に示すように、ケーブル９の中間部がケーブル収容部３の奥部と切り欠き５Ａとの間で略水平方向に延びた状態になり、前面扉４を閉じた閉止状態にすると、ケーブル９の中間部がケーブル収容部３の奥部に押し込まれると共に回動軸方向に湾曲した状態になる。また、前面枠２の内側面のうちケーブル収容部３の後側開口縁からは斜め前方にガイド片６が突出している。そして、このガイド片６によってケーブル９がケーブル収容部３内に押し込まれるようにガイドしている。
【先行技術文献】
【特許文献】
【０００３】
【特許文献１】特開平１１−１７９０３３号公報（［００２８］、第６図、第７図）
【発明の概要】
【発明が解決しようとする課題】
【０００４】
しかしながら、上記した従来の遊技機では、ケーブル９の中間部分が切り欠き５Ａ近傍で任意の方向に屈曲可能な構造になっているので、前面扉４を開閉した際のケーブル９の挙動が安定しないという問題があった。そして、ケーブル９が設計通りの形状に湾曲せず、例えば、図２１の二点鎖線で示したように、ケーブル９の中間部分が正規の位置に対して、遊技機本体１に対する前面扉４の回動軸８から離れる側に外れた位置で湾曲し、遊技機本体１のうちケーブル収容部３の周辺部位と前面扉４との間で挟み付けられる事態が生じ得た。
【０００５】
本発明は、上記事情に鑑みてなされたもので、回動部分のケーブルの挙動を安定させることが可能な遊技機の提供を目的とする。
【課題を解決するための手段】
【０００６】
上記目的を達成するためになされた請求項１の発明に係る遊技機は、ベース体の一側辺に回動可能に連結された開閉体が、通常は、ベース体の前面に重ねられた閉止状態とされ、ベース体の前面が離れる側に回動して開放状態になると共に、ベース体及び開閉体との間を連絡するケーブルのうちベース体及び開閉体における回動軸寄り位置同士の間に差し渡されたケーブル中間可動部が開閉体の回動に伴って変形する遊技機において、ベース体の前面には、開閉体に向かって開放して、ケーブル中間可動部の少なくとも一部を収容するケーブル収容部が形成され、開閉体の後面に突出形成され、その突出の基端より先端が回動軸側に位置し、開放状態から閉止状態へと変化する過程でケーブル中間可動部に対して回動軸と反対側から当接可能に構成されると共に、当接した場合には閉止状態となるまでの間にケーブル中間可動部の少なくとも一部を回動軸方向に押さえながら回動してケーブル中間可動部を折れ曲がった状態へと変化させるか或いはベース体の奥側へ移動させてケーブル中間可動部の少なくとも一部をケーブル収容部に収容させるケーブル規制突壁を備えたところに特徴を有する。
【０００７】
請求項２の発明は、請求項１に記載の遊技機において、ケーブルの一部をベース体に固定して、ケーブル中間可動部のベース体側端部を回動軸の軸方向に延びた状態に保持するベース体側ケーブル固定部が備えられているところに特徴を有する。
【０００８】
請求項３の発明は、請求項２に記載の遊技機において、ベース体側ケーブル固定部とケーブル規制突壁とを回動軸の軸方向でずらして配置したところに特徴を有する。
【０００９】
請求項４の発明は、請求項２又は３に記載の遊技機において、開放状態では、ベース体側ケーブル固定部から回動軸と略平行に延びたケーブル中間可動部が途中で、前側に屈曲してケーブル規制突壁の内側に向かって延び、閉止状態では、ベース体側ケーブル固定部から回動軸と略平行に延びたケーブル中間可動部が途中で、折り返されてから前側に屈曲してケーブル規制突壁の内側に向かうようにケーブル中間可動部が取り廻されているところに特徴を有する。
【００１０】
請求項５の発明は、請求項１乃至４の何れか１の請求項に記載の遊技機において、開閉体のうちケーブル規制突壁より回動軸寄り位置から後方に突出して、ケーブル規制突壁との間でケーブル中間可動部を挟んで対向したケーブル受け壁と、ケーブル規制突壁及びケーブル受け壁のうち回動軸の軸方向における一端部間を連絡した連結補強壁とを備えたところに特徴を有する。
【００１１】
請求項６の発明は、請求項４に記載の遊技機において、開放状態から閉止状態へと変化する過程で、ケーブル中間可動部は、ケーブル収容部のうち回動軸から離れた側の開口縁に摺接しながらケーブル収容部に徐々に収容されて折り返し部分における湾曲度合いが大きくなると共に、ケーブル規制突壁の先端縁に摺接しながらケーブル規制突壁内への導入部分における屈曲度合いが大きくなるように構成されたところに特徴を有する。
【００１２】
請求項７の発明は、請求項５に記載の遊技機において、連結補強壁の先端縁における回動軸側の端部を切り欠いて、ケーブル中間可動部との干渉量を抑えたところに特徴を有する。
【００１３】
請求項８の発明は、請求項１乃至７の何れか１の請求項に記載の遊技機において、ケーブル規制突壁の内面のうち先端縁が、ケーブル収容部における回動軸と反対側の内面の先端縁に対して回動軸から同一距離、又は、回動軸に近い側に配置されているところに特徴を有する。
【００１４】
請求項９の発明は、請求項１乃至７の何れか１の請求項に記載の遊技機において、ケーブル規制突壁の先端縁がケーブル収容部のうち回動軸から離れた側の縁部より回動軸側に配置されているところに特徴を有する。
【００１５】
請求項１０の発明は、請求項９に記載の遊技機において、閉止状態でケーブル規制突壁のうち少なくともケーブル規制突壁の先端縁がケーブル収容部に受容されるように構成したところに特徴を有する。
【００１６】
請求項１１の発明は、請求項１乃至１０の何れか１の請求項に記載の遊技機において、ケーブル規制突壁は、ケーブル収容部側に膨出するように湾曲しているところに特徴を有する。
【００１７】
請求項１２の発明は、請求項１乃至１１の何れか１の請求項に記載の遊技機において、ケーブル規制突壁の先端縁は、開放状態か閉止状態かに拘わらず、常時ケーブル中間可動部に当接可能な長さを有しているところに特徴を有する。
【００１８】
請求項１３の発明は、請求項１乃至１２に記載の遊技機において、ケーブルは、開閉体及びベース体の電気部品を電気接続する導電ケーブルであるところに特徴を有する。
【００１９】
請求項１４の発明は、請求項１乃至１３の何れか１の請求項に記載の遊技機において、板状をなして開閉体の後面に重ねて取り付けられ、ケーブルのうち、ケーブル中間可動部よりも一端側の少なくとも一部をベース体側から覆うケーブルカバーを備え、ケーブル規制突壁はケーブルカバーに一体に備えられているところに特徴を有する。
【００２０】
請求項１５の発明は、請求項１乃至１４のうちの何れか１の請求項に記載の遊技機において、ケーブルは、開閉体及びベース体の電気部品を電気接続する導電ケーブルであり、開閉体の下方には、ベース体の前面を覆う前面下側開閉扉が備えられ、ベース体の前面のうち前面下側開閉扉にて覆われた部分に、導電ケーブルを電気接続するための電気接続部を配置したところに特徴を有する。
【発明の効果】
【００２１】
［請求項１の発明］
請求項１の遊技機では、ベース体及び開閉体との間を連絡するケーブルのうちベース体及び開閉体における回動軸寄り位置同士の間に差し渡されたケーブル中間可動部が開閉体の回動に伴って変形する。このとき、開閉体の後面に突出形成されたケーブル規制突壁は、基端より先端が回動軸側に位置した構造になっているので、ケーブル中間可動部の少なくとも一部を回動軸方向に押さえながら回動してケーブル中間可動部を折れ曲がった状態へと変化させるか或いはベース体の奥側へ移動させることができる。これにより、ケーブル中間可動部の少なくとも一部をケーブル収容部に収容させることが可能になる。即ち、本発明によれば、ケーブル規制突壁によって開閉体の開閉に伴うケーブルの挙動が安定し、ベース体と開閉体との間にケーブルが挟まる事態が防がれる。
【００２２】
［請求項２の発明］
請求項２の遊技機では、ベース体側ケーブル固定部が、ケーブル中間可動部のベース体側端部を回動軸の軸方向に延びた状態に保持しているので、開閉体の開閉に伴ったケーブル中間可動部の内部応力を、ケーブル中間可動部の曲げ変形のみならず、ケーブル中間可動部のベース体側端部の捻り変形によっても緩和することができる。
【００２３】
［請求項３の発明］
ベース体側ケーブル固定部とケーブル規制突壁とが回動軸の軸方向で同じ位置に配置されていると、それらの間のケーブル中間可動部が、それらベース体側ケーブル固定部とケーブル規制突壁を支点にして下方に折れて倒れる事態が懸念されるが、請求項３の構成によれば、ベース体側ケーブル固定部とケーブル規制突壁とが回動軸の軸方向でずれた配置になっているので、上記したようにケーブル中間可動部が折れて倒れるような事態が発生し難い。
【００２４】
［請求項４の発明］
請求項４の構成によれば、開放状態では、ベース体側ケーブル固定部から回動軸と略平行に延びたケーブル中間可動部が途中で、前側に屈曲してケーブル規制突壁の内側に向かった状態になる。また、閉止状態では、ベース体側ケーブル固定部から回動軸と略平行に延びたケーブル中間可動部が途中で、折り返されてから前側に屈曲してケーブル規制突壁の内側に向かった状態になる。そして、開放状態から閉止状態に変化する間に、ケーブル中間可動部のうちベース体側ケーブル固定部から回動軸と略平行に延びた部分が捻り変形する。このように、本発明の構成によれば、ケーブル中間可動部の両端部の接近をケーブル中間可動部の曲げ変形のみならず捻り変形によっても吸収することができる。
【００２５】
［請求項５の発明］
請求項５の構成によれば、ケーブル規制突壁がケーブル受け壁と連結補強壁とによって補強されるので信頼性が向上する。
【００２６】
［請求項６の発明］
請求項６の構成によれば、開放状態から閉止状態へと変化する過程で、ケーブル収容部のうち回動軸から離れた側の開口縁をガイドにして、ケーブル中間可動部をケーブル収容部にスムーズに収容することができる。
【００２７】
［請求項７の発明］
請求項７の構成によれば、連結補強壁の先端縁における回動軸側の端部を切り欠いて、ケーブル中間可動部との干渉量を抑えたので、ケーブル中間可動部への負荷が軽減される。
【００２８】
［請求項８，９，１０の発明］
請求項８，９，１０の構成によれば、ケーブル中間可動部の湾曲部分がケーブル収容部のうち回動軸側から離れた側に外れて、ケーブル収容部の周辺部位と開閉体との間にケーブル中間可動部が挟まる事態を確実に防ぐことができる。
【００２９】
［請求項１１の発明］
請求項１１の構成によれば、ケーブル規制突壁は、ケーブル収容部側に膨出するように湾曲しているので、ケーブル規制突壁の内側でケーブル中間可動部をスムーズに湾曲変形させることができる。
【００３０】
［請求項１２の発明］
請求項１２の構成によれば、ケーブル規制突壁の先端縁からケーブル中間可動部が外れることを防止することができる。
【００３１】
［請求項１３の発明］
ケーブルは、開閉体とベース体との間で信号を授受するための光ファイバーケーブルや、開閉体とベース体との分離を防ぐためのワイヤーとしてのケーブルであってもよい。また、請求項１３の構成のように、ケーブルは、開閉体及びベース体の電気部品を電気接続する導電ケーブルであってもよい。
【００３２】
［請求項１４の発明］
請求項１４の構成によれば、ケーブルのうち、ケーブル中間可動部よりも一端側の少なくとも一部をベース体側から覆うケーブルカバーにケーブル規制突壁が一体に備えられているので、開閉体へのケーブルカバーの取り付けと共にケーブル規制突壁の内側からケーブル中間可動部を引き出すことができ、ケーブルの取り廻し作業が容易になる。
【００３３】
［請求項１５の発明］
請求項１５の構成によれば、開閉体の下方に備え前面下側開閉扉を開いて、ベース体の前面に備えた電気接続部への導電ケーブルの接続作業を容易に行うことができる。
【図面の簡単な説明】
【００３４】
【図１】本発明の一実施形態に係るパチンコ遊技機の正面図
【図２】パチンコ遊技機の斜視図
【図３】パチンコ遊技機の前面扉を開いた状態の斜視図
【図４】パチンコ遊技機の下皿扉を開いた状態の斜視図
【図５】パチンコ遊技機を後斜め上方から見た分解斜視図
【図６】パチンコ遊技機を前斜め上方から見た分解斜視図
【図７】遊技機本体と前面扉の上部連結部分を示した斜視図
【図８】前面枠の下端部の拡大斜視図
【図９】下皿誘導カセットの斜視図
【図１０】ケーブル収容部の斜視図
【図１１】ケーブルクリップの斜視図
【図１２】ケーブル収容部の斜視図
【図１３】前面枠の分解斜視図
【図１４】ケーブルカバーの斜視図
【図１５】ハーネス中間可動部の変形過程を示した概念図
【図１６】前面枠を開いた状態のハーネス中間可動部の形状を示した平断面図
【図１７】前面枠を閉じる途中の状態のハーネス中間可動部の形状を示した平断面図
【図１８】前面枠を閉じる途中の状態のハーネス中間可動部の形状を示した平断面図
【図１９】前面枠を閉じた状態のハーネス中間可動部の形状を示した平断面図
【図２０】従来の遊技機におけるケーブル収容部周辺の斜視図
【図２１】従来の遊技機におけるケーブル収容部周辺の断面図
【発明を実施するための形態】
【００３５】
以下、本発明を適用したパチンコ遊技機１０に係る一実施形態を、図１〜図１９に基づいて説明する。本実施形態のパチンコ遊技機１０は、図１に示すように、遊技板１１に種々の部品を組み付けて備えている。遊技板１１は、略矩形の木製板であって（図６参照）、遊技板１１の前面には、ガイドレール１２が取り付けられ、ガイドレール１２の内側が遊技領域Ｒ１となっている。
【００３６】
遊技領域Ｒ１のほぼ中央部には、表示装置１３が設けられ、表示装置１３の下方には、上始動入賞口１４Ａ、下始動入賞口１４Ｂ、大入賞口１５及びアウト口１６が、上から順に間隔を開けて並べて設けられている。遊技領域Ｒ１のうち、表示装置１３の左側方には始動ゲート１８と風車１７と普通図柄表示部３８とが備えられ、始動入賞口１４Ａ，１４Ｂの左右両側には、一般入賞口２０、２１がガイドレール１２に沿って設けられている。さらに、これら入賞口以外に、遊技領域Ｒ１には図示しない複数の釘が起立している。また、パチンコ遊技機１０のうちアウト口１６より下方には、図２に示すように、パチンコ遊技機１０の前面から膨出した上皿２７Ａが備えられ、さらに、その上皿２７Ａより下方には、図３に示すように、パチンコ遊技機１０の前面から膨出した下皿２７Ｂが備えられている。
【００３７】
以下、遊技板１１の前面に備えた上記始動ゲート１８、大入賞口１５等の所要部位を詳説しつつ、このパチンコ遊技機１０による遊技について説明する。図１に示した上記始動ゲート１８は、遊技球が潜って通過可能な門形構造をなしている。そして、始動ゲート１８を遊技球が通過すると、普通図柄表示部３８が、２桁の数字（普通図柄）を所定期間に亘って変動表示した後、停止表示する。例えば、停止表示された２桁の数字が同じ（ゾロ目）の場合には、下始動入賞口１４Ｂの次述する両可動翼１４Ｃ，１４Ｃが開放状態になって、遊技球が入賞し易い状態になる。また、普通図柄表示部３８が変動表示している間に始動ゲート１８を通過した遊技球は、所定数（例えば、４つ）まで累積カウント（所謂「保留」）される。なお、保留数は、遊技領域Ｒ１に備えた保留数用のＬＥＤの点灯数によって遊技者に報知される。
【００３８】
上下の各始動入賞口１４Ａ，１４Ｂは、共にポケット構造をなして上方に向かって開口し、上始動入賞口１４Ａの真下に下始動入賞口１４Ｂが配置されている。また、下始動入賞口１４Ｂの上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた下始動入賞口１４Ｂの開口幅も、遊技球を１つずつ受け入れる大きさになっている。また、下始動入賞口１４Ｂの上方空間は、常には、上始動入賞口１４Ａを構成する部材と起立状態の可動翼１４Ｃ，１４Ｃとで囲まれて、遊技球が入らないようになっている。そして、普通図柄表示部３８の２桁の数字がゾロ目で停止表示して開放条件が成立すると、可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が下始動入賞口１４Ｂに入賞可能となる。
【００３９】
上下の始動入賞口１４Ａ，１４Ｂの何れかに遊技球が入賞すると、「大当たり遊技」を行うか否かを決定する当否判定の権利が発生し、その当否判定結果が表示装置１３によって遊技者に報知される。具体的には、表示装置１３には、通常、３つの左、中、右の特別図柄１３Ａ，１３Ｂ，１３Ｃが横並びに表示されている。これら各特別図柄は、例えば、「０」〜「９」の数字を表記した複数種類のもので構成されており、通常は、各特別図柄１３Ａ，１３Ｂ，１３Ｃごと、所定の種類のものが停止表示されている。そして、両始動入賞口１４Ａ，１４Ｂの何れかに遊技球が入賞したときに、これら３つの特別図柄１３Ａ，１３Ｂ，１３Ｃが、変動表示（上下方向にスクロール表示）され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ゾロ目になった場合に、遊技が「通常遊技」から「大当たり遊技」に移行する。また、最後に停止される特別図柄だけを残して、残りの二つの特別図柄が同一の図柄で停止した場合に、遊技が「リーチ状態」になる。
【００４０】
ここで、表示装置１３にて特別図柄１３Ａ，１３Ｂ，１３Ｃが変動表示している最中又は「大当たり遊技」の最中に各始動入賞口１４Ａ，１４Ｂに入賞した遊技球の数は、所定の限度数まで累積カウント（所謂「保留」）され、特別図柄１３Ａ，１３Ｂ，１３Ｃが外れの図柄組み合わせで停止表示又は「大当たり遊技」が終了すると、その保留記憶に基づいて再び、特別図柄１３Ａ，１３Ｂ，１３Ｃの変動表示が開始される。なお、保留数は、遊技領域Ｒ１に備えた保留数用のＬＥＤの点灯数によって遊技者に報知される。
【００４１】
大入賞口１５は、遊技板１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し、可動扉１５Ｔをガイドにして大入賞口１５に遊技球が入賞可能になる。ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１５ラウンドまで継続される。
【００４２】
大入賞口１５の内部には、図示しないが継続入賞口と計数入賞口とが設けられている。可動扉１５Ｔが開いたときには、継続入賞口は開放しており、継続入賞口に入賞すると継続入賞口が閉鎖される一方、計数入賞口は開放されたままとなる。継続入賞口に遊技球の入賞を検出すると、前述した終了条件を満たしてラウンドが終了した後で、連続して次のラウンドが実行される。また、計数入賞口に遊技球の入賞を検出すると、継続入賞口への入賞球と合わせて、大入賞口１５への入賞球がカウントされ、これらが前記したように計１０個に達したか否かがチェックされる。
【００４３】
なお、各入賞口１４Ａ，１４Ｂ，１５，２０，２１に入賞したときには、パチンコ遊技機１０の前面に備えた上皿２７Ａに賞球としての遊技球が払い出される。また、大入賞口１５に遊技球が入賞したときには、他の入賞口１４Ａ，１４Ｂ，２０，２１への入賞時より多い遊技球が払い出される。
【００４４】
図５には、遊技板１１の後面側が示されている。同図に示すように、遊技板１１の後面には機構盤５２が取り付けられている。機構盤５２は、各入賞口１４Ａ，１４Ｂ，１５，２０，２１及びアウト口１６に入球した遊技球を遊技場に回収するための球通路（図示せず）を備えている。また、機構盤５２の後面に重ねて表示制御基板５１、ランプ・音声制御基板５０及び主制御基板５３が取り付けられている。
【００４５】
遊技板１１は、上記した表示装置１３、機構盤５２、各種基板５０，５１，５３等を組み付けたアッシ状態で図６に示した前面枠７５に取り付けられ、その前面枠７５が外枠８２に組み付けられている。そして、これら遊技板１１と前面枠７５と外枠８２とから本発明に係る「ベース体」に相当する遊技機本体９０が構成されている。
【００４６】
外枠８２は、４つの長板８３を縦長矩形状に接合してなり、遊技場の遊技島に固定されている。また、それら両側部に配置された長板８３，８３における下端部の間には、補強及び歪み防止用の下辺補強板８４が差し渡されている。一方、前面枠７５は、外枠８２と同一幅をなし、上下方向が外枠８２より短い縦長矩形状になっていて、その前面枠７５の前面側には、後に詳説する下皿扉９３（本発明の「前面下側開閉扉」に相当する）、及び前面扉９５（本発明の「開閉体」に相当する）が取り付けられる一方、前面枠７５の後面側にはカバー包囲壁７０等が取り付けられている。そして、外枠８２の前面のうち下辺補強板８４より上方部分全体に前面枠７５が重ねて配置され、前面枠７５における後面側の部品が外枠８２によって側方から覆われている。
【００４７】
前面枠７５は、外枠８２に対して回動可能に連結されている。具体的には、図６に示すように、外枠８２の正面視左側の一側辺には、それぞれ上下両端部から前方に突出したヒンジ片８５，８５が備えられ、前面枠７５の正面視左側の一側辺にも、それぞれ上下両端部から前方に突出したヒンジ片７６，７６が備えられている。そして、各ヒンジ片８５の前端から上方に突出した連結ピン８５Ｐを、ヒンジ片７６のピン孔７６Ｈに挿入して、前面枠７５が外枠８２に回動可能に連結されている。また、図５に示すように、外枠８２のうち正面視右側の側辺内側には、上下両端部に１対の係止片８６，８６が備えられる一方、図６に示すように、前面枠７５の正面視右側の側辺外側には外枠係止具７３，７３が備えられている。そして、前面枠７５を外枠８２の内側に嵌め込んだ状態で、係止片８６と外枠係止具７３とを係止させてロックすることができるようになっている。
【００４８】
前面枠７５は、前面扉９５、下皿扉９３、カバー包囲壁７０等の部品を外した状態における基礎形状が、縦長矩形の枠状になっていて、上下方向における下側略１／４が前面枠下部壁７５Ｗになっている（図４参照）。そして、前面枠７５のうち前面枠下部壁７５Ｗより上側全体の内側に略矩形の遊技板嵌合孔７７が備えられ、そこに遊技板１１がアッシ状態で嵌合されて着脱可能に固定されている。
【００４９】
図５に示すように、前面枠７５の後面における遊技板嵌合孔７７の上縁部及び両側縁部からは、透明な樹脂製のカバー包囲壁７０が張り出して、遊技板１１の後面側部品を側方から覆っている。また、カバー包囲壁７０の後端開口には、後方カバープレート７０Ｐが開閉可能に取り付けられて、遊技板１１の後面側部品を後方から覆っている。さらに、カバー包囲壁７０の上面には、遊技球タンク７１が備えられると共に、カバー包囲壁７０の一側部には球払出装置５５が固定され、遊技球タンク７１から球払出装置５５に遊技球が供給されるようになっている。また、前面枠７５のうち前面枠下部壁７５Ｗの後面には、払出制御基板５８と電源基板５４とが重ね合わされた状態で取り付けられている。
【００５０】
前面枠７５の前面は、図４に示した前面扉９５と下皿扉９３とコーナーカバー７５Ｖによって、図２に示すように全体を覆われている。図４に示すように、コーナーカバー７５Ｖは、略三角形になっていて、前面枠７５の正面視、右下角部を覆った状態に固定されている。そして、操作ノブ２８がコーナーカバー７５Ｖの前面に回動可能に備えられている。なお、コーナーカバー７５Ｖの一辺は、前面枠下部壁７５Ｗの右側側辺全体に重ねられている。
【００５１】
下皿扉９３は、前面枠下部壁７５Ｗのうちコーナーカバー７５Ｖによって覆われた部分を除く領域の下側略半分を覆うと共に、前面枠７５の正面視、左側部に回動可能に連結されている。その下皿扉９３の回動中心は、前面枠７５全体の前面より若干前方でありかつ、上記した前面枠７５と外枠８２とを連結する連結ピン８５Ｐの中心軸より若干後方に位置している。また、下皿扉９３のうち回動中心とは反対側の端部には、図４に示すように、前面枠下部壁７５Ｗに向かって下皿扉係止具９３Ａが突出形成される一方、これに対向して前面枠下部壁７５Ｗには下皿扉係止孔７８が形成されている。そして、下皿扉９３を前面枠下部壁７５Ｗの前面に重ね、下皿扉係止具９３Ａが下皿扉係止孔７８に係止した状態でロックすることができるようになっている（図２及び図３参照）。また、下皿扉９３の前面には前記した下皿２７Ｂが膨出形成され、その下皿扉９３に連通した下皿取込孔２７Ｖ及び下皿排出孔２７Ｗが下皿扉９３の後面に開口している。
【００５２】
前面扉９５は、全体が前面枠７５と同一幅の略矩形状になっていて、遊技板嵌合孔７７と前面枠下部壁７５Ｗの前面における上側略半分を覆い、前面枠７５の正面視、左側部に回動可能に連結されている。この前面扉９５の回動中心は、下皿扉９３の回動中心と同軸上に配置され、前面枠７５全体の前面より若干前方に位置している。また、前面枠７５のうち回動中心と反対側の側辺には、前面扉係止具７４，７４（図６参照）が取り付けられる一方、これと対応した前面扉９５の側辺にも係止片９４Ａ，９４Ａ（図５参照）が備えられている。そして、前面扉９５を前面枠７５の前面に重ね合わせた扉閉止状態（図２参照）で前面扉係止具７４，７４を係止片９４Ａ，９４Ａに係止させてロックすることができる。
【００５３】
なお、図１に示すように、コーナーカバー７５Ｖの上方端部には鍵孔７２が備えられ、そこに挿入した鍵を左側に回動操作すると、前面扉９５と前面枠７５との間のロックが解除され、前面扉９５を開くことができる（図３参照）。また、前面扉９５を開くと、下皿扉９３の下皿扉係止具９３Ａが露出し、その下皿扉係止具９３Ａを押下することで下皿扉９３と前面枠７５との間のロックが解除されて、下皿扉９３を開くことができる（図４参照）。さらに、上記鍵を右側に回動操作すると、前面枠７５と外枠８２との間のロックが解除されて、前面枠７５が外枠８２に対して回動可能となる。
【００５４】
前面扉９５の中央部には、遊技板１１の遊技領域Ｒ１に対応した遊技窓９５Ｗが貫通形成されており、その遊技窓９５Ｗは透明なガラス板９６にて塞がれている。そして、そのガラス板９６を通して遊技領域Ｒ１をパチンコ遊技機１０の前面から視認することができる（図１参照）。
【００５５】
前面扉９５の前面のうち遊技窓９５Ｗの下方には、前述した上皿２７Ａが膨出形成され、図３に示すように、その上皿２７Ａに連通した上皿取込孔２７Ｘと上皿排出孔２７Ｙと発射供給孔２７Ｚが前面扉９５の後面に開口している。そして、球払出装置５５（図５参照）から排出された遊技球が、上皿取込孔２７Ｘを介して上皿２７Ａに払い出される。また、図２に示すように、上皿２７Ａには、遊技に使用するための遊技ボタン２４，２５及び球移動ボタン２９が備えられている。そして、球移動ボタン２９を押すと、上皿排出孔２７Ｙから、前面枠７５の前面の後述する球送りカセット８７、下皿扉９３の下皿取込孔２７Ｖとを通って上皿２７Ａから下皿２７Ｂに遊技球が移動する。なお、図３に示すように、下皿２７Ｂの下面の排出操作部２７Ｈを操作すると、下皿２７Ｂを上下に貫通した下皿排出孔２７Ｇ（図６参照）が開いて、下皿２７Ｂ内の遊技球を下皿２７Ｂの下方に排出することができる。
【００５６】
図２に示すように、前面扉９５の前面のうち、遊技窓９５Ｗの上部及び両側部には装飾ランプ９７が設けられており、上端両角部にはスピーカ９８，９８が設けられている。そして、図７に示すように、前面扉９５の後面上端部のうち回動中心寄り位置には、両スピーカ９８，９８用のコネクタ９８Ｃが備えられ、そのスピーカ９８に結合された複数本の導電ケーブルが一纏めにされて樹脂チューブに通されて、第１前面ハーネス９１Ａが構成されている。コネクタ９８Ｃから前面扉９５の回動軸側に引き出された第１前面ハーネス９１Ａは、途中で屈曲して前面枠７５側に延びている。
【００５７】
そして、前面枠７５の上部における回動軸側の端部を貫通形成されたケーブル挿通孔７５Ｚに第１前面ハーネス９１Ａが挿通されて前面枠７５の後面側に引き出されると共に、前面枠７５の一側縁部に沿って下方に延ばされて、ランプ・音声制御基板５０（図５参照）に接続されている。また、第１前面ハーネス９１Ａは、前面枠７５の後面の複数位置で前面枠７５に固定され（図示せず）、前面扉９５を略９０度開いた状態（図７参照）で前面扉９５と前面枠７５との間で真っ直ぐ延びた状態になり、前面扉９５を閉じるとケーブル挿通孔７５Ｚの奥側に押し込まれて前面枠７５の後面から後方に膨出するように湾曲した状態になる。
【００５８】
また、装飾ランプ９７及び遊技ボタン２４，２５用の複数本の導電ケーブルは、図３及び図４に示すように、前面扉９５の後面を覆うケーブルカバー４０及び第１の扉後面カバー４８（図１３参照）の内側で取り廻されて一纏めにされて、第２前面ハーネス９１Ｂが構成されている。そして、その第２前面ハーネス９１Ｂは、前面扉９５の後面における下端寄りかつ回動軸寄りの位置で、ケーブルカバー４０から後方に引き出され、前面枠７５側に延びて前面枠７５の前面の後述するコネクタ９２Ａ，９２Ｂ（図４参照）に接続されている。
【００５９】
これら第２前面ハーネス９１Ｂを構成する導電ケーブルの本数（例えば、３８本）は、上記第１前面ハーネス９１Ａを構成する導電ケーブルの本数（例えば、６本）より多く、前面枠７５側における固定位置も、第１前面ハーネス９１Ａは、前面枠７５の後面側であるのに対し、第２前面ハーネス９１Ｂは、前面枠７５の前面側になっていて異なる。それ故に、前面扉９５と前面枠７５との間の可動部分における取り回し構造も、第２前面ハーネス９１Ｂは第１前面ハーネス９１Ａとは異なっていて、その第２前面ハーネス９１Ｂの可動部分における取り回し構造に関しては、前面枠７５の前面枠下部壁７５Ｗにおける前面の構造を説明した後で詳説する。
【００６０】
図８に示すように、前面枠下部壁７５Ｗの前面には、下縁部全体が前方に段付き状に突出させた段差突出部７５Ｄが形成されると共に、上縁部から球進入規制突片７５Ｔが突出している。そして、コーナーカバー７５Ｖと、その反対側の前面枠７５の回動軸側の側壁７５Ｓと、段差突出部７５Ｄ及び球進入規制突片７５Ｔとに囲まれたに部分が前面部品収容凹７５Ｕになっていて、そこに下皿誘導カセット８８と球送りカセット８７と発射装置８９とが取り付けられている。なお、図８には、発射装置８９のうち次述するベースプレート８９Ｐのみが示されている。
【００６１】
発射装置８９は、ベースプレート８９Ｐに図示しない打撃槌、駆動モータ等を組み付けてなる。そして、前面部品収容凹７５Ｕの奥面のうちコーナーカバー７５Ｖ寄り位置にベースプレート８９Ｐが重ねて取り付けられ、ベースプレート８９Ｐの後側の部品が、前面枠下部壁７５Ｗに形成された貫通孔を介して前面枠下部壁７５Ｗの後面側に配置されている。そして、発射装置８９の前面に球送りカセット８７が重ね取り付けられている。
【００６２】
操作ノブ２８の操作に応じて発射装置８９の駆動モータが作動し、その動力の一部を球送りカセット８７内の可動部品が受けて作動する。これにより、上皿２７Ａの発射供給孔２７Ｚ（図３参照）から遊技球が球送りカセット８７に取り込まれて、発射装置８９に１球ずつ供給される。そして、発射装置８９の打撃槌が遊技球を１つずつ遊技領域Ｒ１へと弾き出す。
【００６３】
下皿誘導カセット８８は、図９に示すように前後方向に扁平になっていて、内部に遊技球が転動する空間を有し、その空間が後方を向いて開放している。また、前方から見ると全体が略正方形になって、その左側辺の上端部から側方に固定用突片８８Ａが突出している。さらには、下皿誘導カセット８８のうち上下方向の略中央からは前面突壁８８Ｂが前方に突出して横方向の全体に亘って延びている。
【００６４】
そして、下皿誘導カセット８８は、図８に示すように前面部品収容凹７５Ｕの奥面のうち発射装置８９のベースプレート８９Ｐよりコーナーカバー７５Ｖから離れた位置に宛われると共に、前面枠７５の回動軸側の側壁７５Ｓの近傍に固定用突片８８Ａが配置された状態で前面枠７５にビス止めされている。この状態で、下皿誘導カセット８８の上端部は、球進入規制突片７５Ｔに形成された切り欠き部内に収容されて、下皿誘導カセット８８の上面と球進入規制突片７５Ｔの上面とが面一になり、下皿誘導カセット８８の下端部は段差突出部７５Ｄに隣接している。そして、下皿誘導カセット８８の一側部と前面枠７５の回動軸側の側壁７５Ｓとの間に、縦長のケーブル取り廻し空間Ｋ１が確保されている。なお、下皿扉９３を閉じると、下皿扉９３の上面と前面突壁８８Ｂの上面とが面一になる（図３参照）。
【００６５】
前面部品収容凹７５Ｕの奥面のうち下皿誘導カセット８８によって覆われる部分の左上角部には、第１賞球払出口（図示せず）が形成され、下皿誘導カセット８８のうち第１賞球払出口に前方から対向する位置には、ダクト挿通孔８８Ｄ（図９参照）が形成されている。そして、前面扉９５における前記した上皿取込孔２７Ｘから後方に延びた図示しないダクトが、ダクト挿通孔８８Ｄを介して第１賞球払出口に接続され、これにより球払出装置５５（図５参照）が排出した遊技球が上皿２７Ａに排出される。
【００６６】
前面部品収容凹７５Ｕの奥面のうち第１賞球払出口の下方には、第２賞球払出口が形成されている（図示せず）。これに対し、下皿誘導カセット８８には、図９に示すように第２賞球払出口の前側下方位置から右下方に下ったレール部８８Ｒが形成されると共に、右下角部前方に開放した溢れ球排出口８８Ｅが形成されている。そして、上皿２７Ａから第１賞球払出口まで遊技球が満杯になったときに、その遊技球が第２賞球払出口から下皿誘導カセット８８内に排出され、レール部８８Ｒを転動して、溢れ球排出口８８Ｅから下皿扉９３の下皿排出孔２７Ｗ（図４参照）を介して下皿２７Ｂに遊技球が払い出される。
【００６７】
図９に示すように、下皿誘導カセット８８のうち溢れ球排出口８８Ｅより左側部分は、下皿２７Ｂにおける遊技球の満杯を検出する満杯検出機構が内蔵した満杯機構収容部８８Ｍが形成されると共に、満杯検出機構の一部品である検出スイッチ８８Ｓが満杯機構収容部８８Ｍの下端部の前側に露出している。そして、満杯機構収容部８８Ｍを除き、下皿誘導カセット８８のうちレール部８８Ｒより下側部分全体が、レール部８８Ｒより上側部分全体より前後方向で窪んで、基板収容部８８Ｆになっている。そして、下皿扉９３を閉じた状態で、基板収容部８８Ｆと下皿扉９３の後面との間に、横長のケーブル取り廻し空間Ｋ２（図８参照）が形成され、このケーブル取り廻し空間Ｋ２と前記した縦長のケーブル取り廻し空間Ｋ１とが連通してＬ字形のケーブル取り廻し空間Ｋ３が形成されている。
【００６８】
図９に示すように、基板収容部８８Ｆには、縦長長方形のコネクタ挿通孔８８Ｘ，８８Ｙ，８８Ｚが貫通形成され、基板収容部８８Ｆの内面に固定された基板（図示せず）の１対のコネクタ９２Ａ，９２Ｂが右側２つのコネクタ挿通孔８８Ｘ，８８Ｙから前側に露出し、前面部品収容凹７５Ｕの奥面に固定された基板（図示せず）のコネクタ９２Ｃが残りのコネクタ挿通孔８８Ｚから前側に露出している。そして、前記した第２前面ハーネス９１Ｂの一端部に備えた１対のコネクタ（図示せず）が基板収容部８８Ｆのコネクタ９２Ａ，９２Ｂに接続されている。
【００６９】
図１０には、前面部品収容凹７５Ｕのうちケーブル取り廻し空間Ｋ１の奥部の構造が示されている。同図に示すように、ケーブル取り廻し空間Ｋ１の奥部には、上下方向の中央にケーブルクリップ３２（本発明の「ベース体側ケーブル固定部」に相当する）が設けられ、上下方向の上端部には、前記した下皿誘導カセット８８の固定用突片８８Ａが配置され、それらケーブルクリップ３２と固定用突片８８Ａとの間には、ケーブル挿通孔７５Ｙが前面枠下部壁７５Ｗの前後方向に貫通形成されている。そして、基板収容部８８Ｆのコネクタ９２Ｃに図示しないコネクタにて接続されたケーブルと、検出スイッチ８８Ｓから延びたケーブルとが、ケーブル挿通孔７５Ｙを介して前面枠７５の裏側の所定の制御基板に接続されている。
【００７０】
ケーブルクリップ３２は、図１１（Ａ）に拡大して示したように、角Ｕ字形のクリップ本体３２Ｈの一端部に、ヒンジ部３２Ｇを介して回動レバー３２Ｊを備え、その回動レバー３２Ｊの先端３２Ｂを図１１（Ｂ）に示すようにクリップ本体３２Ｈの他端部３２Ａに係止したリング状にして、その内側に第２前面ハーネス９１Ｂの一端部とケーブル挿通孔７５Ｙに挿通されたケーブルとが保持されている。また、回動レバー３２Ｊの先端３２Ｂは、Ｖ字バネ構造をなしていて、そのＶ字バネ構造を圧縮操作することで、回動レバー３２Ｊの先端３２Ｂをクリップ本体３２Ｈの他端部３２Ａから外すこともできるようになっている。
【００７１】
クリップ本体３２Ｈのうち角Ｕ字の底部に相当する部分には、山形に湾曲した可撓板３２Ｄの頂点部分が接続され、その可撓板３２Ｄの頂点の裏側から矢尻係止突部３２Ｃが突出している。そして、図１０に示すように、前面部品収容凹７５Ｕの奥面に形成された貫通孔に矢尻係止突部３２Ｃが押し込まれ、矢尻係止突部３２Ｃの末広がり側の端面と可撓板３２Ｄとの間で前面枠下部壁７５Ｗを前後から挟んでケーブルクリップ３２が前面枠下部壁７５Ｗに固定されている。その固定された状態で、ケーブルクリップ３２は、内側を第２前面ハーネス９１Ｂ等が上下方向に貫通した状態に保持されるようになっている。また、ケーブルクリップ３２は、下皿誘導カセット８８における前面突壁８８Ｂの側方に配置され、ケーブル取り廻し空間Ｋ１のうちケーブルクリップ３２より上側部分が、本発明に係るケーブル収容部９１Ｓになっている。
【００７２】
図３に示すように、下皿扉９３を閉じ、前面扉９５を開いた状態では、ケーブル取り廻し空間Ｋ１のうち本発明に係るケーブル収容部９１Ｓのみが前方に開放する。そして、前面扉９５の後面のうちケーブル収容部９１Ｓと対向する部分に、後述するケーブル導出孔４５（図１４参照）が形成されると共に、そのケーブル導出孔４５の一部を覆うように本発明に係るケーブル規制突壁４１が形成されている（図１２参照）。そして、ケーブル導出孔４５から第２前面ハーネス９１Ｂが前面枠７５側に導出されている。
【００７３】
次に、前面扉９５における第２前面ハーネス９１Ｂの取り回しについて以下説明する。図１３には、前面扉９５からケーブルカバー４０及び第１と第２の扉後面カバー４８，４９を取り外した状態が示されている。同図に示すように、前面扉９５の後面のうち遊技窓９５Ｗの下端部より前面扉９５の回転軸側には、上下方向にケーブル収容溝９５Ｙが形成され、そのケーブル収容溝９５Ｙの奥面上端部には、装飾ランプ９７用のコネクタ９５Ｃが備えられている。また、前面扉９５の後面のうち遊技窓９５Ｗに下方から隣接しかつ前面扉９５の回転軸から離れた位置には、遊技ボタン２４，２５からの複数の導電ケーブルが挿通されたケーブル孔９５Ｘが形成されている。
【００７４】
そして、ケーブル孔９５Ｘから後方に導出された導電ケーブル群が遊技窓９５Ｗの下縁部に沿って延びると共に、ケーブル収容溝９５Ｙ内に引き込まれている（図示せず）。また、コネクタ９５Ｃに図示しないコネクタを介して接続された導電ケーブル群は、ケーブル収容溝９５Ｙ内を下方に延び、遊技ボタン２４，２５から引き込まれた導電ケーブル群と共にケーブル収容溝９５Ｙ内で束ねられて第２前面ハーネス９１Ｂが形成されている。さらに、ケーブル収容溝９５Ｙは、ケーブルカバー４０にて後方から覆われている。
【００７５】
詳細には、上記ケーブル導出孔４５及びケーブル規制突壁４１は、ケーブルカバー４０に形成されている。ケーブルカバー４０は、図１４に示されており、透明な樹脂で構成され、全体が縦長の略板状をなしたカバー本体４０Ｈを有し、そのカバー本体４０Ｈにおける上下方向の中間位置に段差部４０Ｄが形成されて、段差部４０Ｄより上側が段付き状に前面扉９５の後方に突出している。また、ケーブルカバー４０の上端部には、フック部４０Ｆが備えられ、段差部分より下側部分には、複数の取付孔４０Ｎが備えらえている。そして、フック部４０Ｆをケーブル収容溝９５Ｙの縁部に係止させた状態で取付孔４０Ｎに挿通した螺旋にて前面扉９５にケーブルカバー４０が固定されている。
【００７６】
ケーブル導出孔４５は、四角形になっていてカバー本体４０Ｈの下端部に配置されている。そして、ケーブル導出孔４５は、図１５（Ａ）に示すように、上下方向で第２前面ハーネス９１Ｂの径の１．５〜２倍程度の大きさをなし、図１６に示すように、横方向においても第２前面ハーネス９１Ｂの径の１．５〜２倍程度の大きさをなし、さらに、下端部は開放されている。
【００７７】
図１４に示すように、ケーブル規制突壁４１は、ケーブル導出孔４５のうち前面扉９５の回動軸から離れた側の側縁部から張り出している。また、ケーブル導出孔４５のうち前面扉９５の回動軸側の側縁部からケーブル受け壁４２が張り出し、ケーブル導出孔４５のうち上縁部から張り出した連結補強壁４３によって、ケーブル受け壁４２とケーブル規制突壁４１の上端部の間が連絡され、これらケーブル規制突壁４１、ケーブル受け壁４２及び連結補強壁４３からケーブル導出突部４４が構成されている。
【００７８】
ケーブル受け壁４２は、縦長長方形の平板状をなし、カバー本体４０Ｈから直角に突出し、その突出量はケーブル導出孔４５の幅の半分程度になっている。また、ケーブル受け壁４２の先端縁は、丸みを帯びた形状になっている。さらに、ケーブル受け壁４２の上下方向の全長の略１／５〜１／４程度は、カバー本体４０Ｈの下端部から下方に突出している。
【００７９】
ケーブル規制突壁４１は、その突出の基端より先端が前面扉９５の回動軸側に位置した形状になっている。詳細には、ケーブル規制突壁４１は、カバー本体４０Ｈから直角に突出した基端平板部４１Ａの先端から前面扉９５の回動軸側に略４５度傾斜した方向に傾斜ガイド部４１Ｂを張り出した形状になっている。基端平板部４１Ａは、ケーブル受け壁４２の１／２程度の幅の長方形の平板状をなしている。一方、傾斜ガイド部４１Ｂは、ケーブル受け壁４２より若干大きな幅の長方形の板状をなし、かつ外側に膨出するように丸みを帯び、前面扉９５の回動軸を中心にして下皿誘導カセット８８の前端側縁部に当接する円弧（図１６における二点鎖線）に沿った形状になっている。
【００８０】
ケーブル規制突壁４１の先端縁も、ケーブル受け壁４２の先端縁と同様に丸みを帯び、それらケーブル規制突壁４１の先端縁とケーブル受け壁４２の先端縁との間は、ケーブル規制開口４１Ｋとなっている。ケーブル規制開口４１Ｋの幅は、第２前面ハーネス９１Ｂの径より若干大きくなっている。また、ケーブル規制突壁４１は、ケーブル受け壁４２と同様に、上下方向の全長の略１／５〜１／４程度が、カバー本体４０Ｈの下端部から下方に突出している。
【００８１】
図１４に示すように、連結補強壁４３は、平板状をなしてカバー本体４０Ｈから直角に張り出し、連結補強壁４３の縁部は、ケーブル導出孔４５の上縁部全体とケーブル規制突壁４１の上縁部全体とケーブル受け壁４２の上縁部全体とに接続されている。そして、連結補強壁４３の縁部のうちケーブル規制開口４１Ｋの上方部分は、ケーブル受け壁４２の先端位置からカバー本体４０Ｈと平行な水平方向を向いてケーブル規制突壁４１側に延び、ケーブル規制突壁４１寄り位置でカバー本体４０Ｈから離れる側にクランク状に屈曲し、さらに、ケーブル規制突壁４１の接近した位置でカバー本体４０Ｈから離れる側に直角に曲がったところでケーブル規制突壁４１の先端に繋がっている。
【００８２】
図１３に示すように、第１の扉後面カバー４８は、横方向に延びて遊技窓９５Ｗの下方に配置され、第２前面ハーネス９１Ｂの一部及びケーブルカバー４０の一部を覆っている。そして、第１の扉後面カバー４８に形成された切り欠き部４８Ａからケーブル導出突部４４が後方に突出している。
【００８３】
第２の扉後面カバー４９は、上下方向に延び、第２の扉後面カバー４９の下端部が第１の扉後面カバー４８のうち前面扉９５の回動軸側端部に重ねた状態に取り付けられている。また、第２の扉後面カバー４９の下端部の側縁部が、ケーブル導出突部４４におけるケーブル受け壁４２の側方に隣接して配置され、その第２の扉後面カバー４９の側縁部から起立した後方突出壁４９Ｔが、ケーブル受け壁４２の外面に重ねられている。また、図１６に示すように、ケーブル受け壁４２の先端の方が、後方突出壁４９Ｔの先端より突出方向の先方に位置している。なお、後方突出壁４９Ｔは、上下方向でケーブル受け壁４２より長くなっていて、後方突出壁４９Ｔの上端部はケーブル受け壁４２より上方に配置され、後方突出壁４９Ｔの下端部はケーブル受け壁４２より下方に配置されている。
【００８４】
そして、第２前面ハーネス９１Ｂは、ケーブル収容溝９５Ｙ内で横方向に自由に動く状態にされると共に、ケーブル導出突部４４内で後方に屈曲され、ケーブル規制突壁４１から後方に導出され、ケーブルクリップ３２へと延びている。なお、第２前面ハーネス９１Ｂのうちケーブル導出突部４４内に保持された部分とケーブルクリップ３２に保持された部分との間が、本発明の「ケーブル中間可動部」に相当するハーネス中間可動部９１Ｃになっている。ハーネス中間可動部９１Ｃは、蛇腹状の樹脂チューブ（具体的には、コルゲートチューブ）に通されて、保護されている。
【００８５】
本実施形態の構成に関する説明は以上である。次に、本実施形態の作用効果について説明する。
【００８６】
パチンコ遊技機１０で遊技を実行していると、例えば、遊技板１１の何れかの場所で球詰りが発生して、それを解消するために前面扉９５を開く場合がある。また、遊技板１１上の釘の傾きを調整するために前面扉９５を開く場合もある。そして、前面扉９５を開くと、ハーネス中間可動部９１Ｃが、前面扉９５と遊技機本体９０との間で延びた状態になる。詳細には、図１５（Ａ）に示すように、前面扉９５を９０度程度開くと、ハーネス中間可動部９１Ｃのうち遊技機本体９０側の端部は、ケーブルクリップ３２から前面扉９５の回転軸と略平行になって上方に延びてから前方に屈曲して略水平に延び、ケーブル導出突部４４のケーブル規制開口４１Ｋから前面扉９５内へと延びた状態になる。このとき、ハーネス中間可動部９１Ｃを上方から見ると、図１６に示すように、ケーブル導出突部４４内でハーネス中間可動部９１Ｃは、その弾発力によってケーブル規制突壁４１の内側面に押し付けられ、前面扉９５の後面に対してケーブル規制開口４１Ｋから前面扉９５の回動軸側に傾斜した方向に導出され、ケーブル受け壁４２を乗り越えるように湾曲し、ケーブルクリップ３２へと向かって延びた状態になる。
【００８７】
そして、上記した球詰まりの解消後、又は、釘の調整作業終了後に、前面扉９５を閉じると、ハーネス中間可動部９１Ｃがケーブル収容部９１Ｓに収容される。詳細には、前面扉９５を閉じて行くと、ケーブル規制突壁４１がハーネス中間可動部９１Ｃの扉側端部を回動軸方向に押さえながら回動して、ハーネス中間可動部９１Ｃを折れ曲がった状態へと変化させる。すると、ハーネス中間可動部９１Ｃのうちケーブル受け壁４２を乗り越えるように湾曲した部分が、図１７に示すようにケーブル収容部９１Ｓのうち前面扉９５の回動中心から離れた側の側縁部、即ち、下皿誘導カセット８８の前端側縁部に当接する。さらに前面扉９５を閉じると、そのケーブル収容部９１Ｓの側縁部との摺接部分が上方に移動し、ハーネス中間可動部９１Ｃにおける前方への屈曲部分が上方に移動してやがてケーブル導出突部４４より上方まで移動する（図１５（Ｂ）参照）。これにより、ハーネス中間可動部９１Ｃの中間部がＵ字状になってケーブル収容部９１Ｓ内に収容される。これに伴い、ハーネス中間可動部９１Ｃの前面扉９５側の端部では、ケーブル規制開口４１Ｋから導出された部分が上方に折れ曲がって連結補強壁４３より上方に起立していく。このとき、連結補強壁４３の先端縁における回動軸側の端部は切り欠かれているので、連結補強壁４３とハーネス中間可動部９１Ｃとの干渉量を抑えることができる。
【００８８】
さらに、前面扉９５を閉じると、図１８に示すようにケーブル規制突壁４１の先端がケーブル収容部９１Ｓと前後方向で対向する。このとき、ハーネス中間可動部９１Ｃは、略全体はケーブル収容部９１Ｓ内に収容され、ケーブル導出突部４４内では、例えば、ハーネス中間可動部９１Ｃはケーブル規制突壁４１の内面から若干浮いてケーブル規制突壁４１の先端縁とケーブル受け壁４２の先端縁とに摺接し、ハーネス中間可動部９１Ｃの前面扉９５側の端部における上下方向の屈曲変形（図１５（Ｂ）参照）がスムーズに進む。
【００８９】
そして、前面扉９５が完全に閉まると、図１９に示すように、ケーブル規制突壁４１における傾斜ガイド部４１Ｂの略全体とケーブル受け壁４２の先端とがケーブル収容部９１Ｓ内に収容された状態になる。このとき、ケーブル導出突部４４内では、例えばケーブル受け壁４２の内側面にハーネス中間可動部９１Ｃが密着した状態になり、ケーブル収容部９１Ｓ内では、図１５（Ｃ）に示すように、ケーブルクリップ３２から前面扉９５の回動軸と略平行に上方に延びたハーネス中間可動部９１Ｃがヘアピン状に下方に折り返されてからケーブルクリップ３２の上方で前方に屈曲されて、ケーブル導出突部４４内に向かった状態になる。
【００９０】
このように本実施形態によれば、ハーネス中間可動部９１Ｃの前面扉９５側の端部は、前面扉９５を閉じる際に、前面扉９５の後面に突出形成されたケーブル規制突壁４１に押し付けられることになる。そして、ケーブル規制突壁４１は、基端より先端が前面扉９５の回動軸側に位置した構造になっているので、ハーネス中間可動部９１Ｃの少なくとも一部を回動軸方向に押さえながら回動してハーネス中間可動部９１Ｃを折れ曲がった状態へと変化させて、遊技機本体９０の奥側へ移動させることができる。これにより、ハーネス中間可動部９１Ｃの少なくとも一部をケーブル収容部９１Ｓに収容させることが可能になる。即ち、ケーブル規制突壁４１によって前面扉９５の開閉に伴うケーブルの挙動が安定し、遊技機本体９０と前面扉９５との間にケーブルが挟まる事態が防がれる。なお、本実施形態では、ケーブル規制突壁４１は、ハーネス中間可動部９１Ｃの前面扉９５側の端部を完全に固定するのではなく、前面扉９５の後面から回動軸側の斜め後方に傾いた状態で上下動を許容しながら可動範囲を規制するので、ケーブルへの応力集中が防がれ、耐久性の向上も図られる。
【００９１】
また、遊技機本体９０に備えたケーブルクリップ３２は、ハーネス中間可動部９１Ｃの遊技機本体９０側の端部を、前面扉９５の回動軸の軸方向に延びた状態に保持しているので、前面扉９５の開閉に伴ったハーネス中間可動部９１Ｃの両端部の接近によって生じるハーネス中間可動部９１Ｃの内部応力を、ハーネス中間可動部９１Ｃの曲げ変形（図１５（Ｃ）に示す矢印Ｌ１方向）のみならず、ハーネス中間可動部９１Ｃの遊技機本体９０側の端部の捻り変形（図１５（Ｃ）に示す矢印Ｌ２方向）でも吸収することができる。そして、ケーブル収容部９１Ｓのうち回動軸から離れた側の開口縁をガイドにして、ハーネス中間可動部９１Ｃをケーブル収容部９１Ｓにスムーズに収容することができる。
【００９２】
しかも、ケーブルクリップ３２とケーブル規制突壁４１とが回動軸の軸方向でずれた配置になっているので、ケーブルクリップ３２とケーブル規制突壁４１とを前後方向で近づけることができるうえに、ケーブルクリップ３２とケーブル規制突壁４１とを支点にしてハーネス中間可動部９１Ｃが下方に折れて倒れる事態が防がれる。
【００９３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９４】
（１）前記実施形態ではパチンコ遊技機１０に本発明を適用していたが、ベース体と開閉体の間でケーブルが取り廻されている遊技機であれば、コイン遊技機やスロットマシン等に本発明を適用してもよい。
【００９５】
（２）前記実施形態のパチンコ遊技機１０は、前面枠７５に対して前面扉９５が回動開閉可能である一方、外枠８２に対しては前面枠７５が回動開閉可能な構成である。前記実施形態では、前面枠７５の前面にケーブル収容部９１Ｓを設けていたが、前面扉９５の後面にケーブル収容部９１Ｓを設けてもよい。この場合、前面枠７５が本発明に係る「開閉体」に相当し、前面扉９５が本発明に係る「ベース体」に相当する。
即ち、前記実施形態では、前面枠７５が本発明に係る「ベース体」に相当し、前面扉９５が本発明に係る「開閉体」に相当していたように、パチンコ遊技機１０を構成する部材のうち何が本発明の「ベース体」に相当し、何が「開閉体」に相当するかは相手方との関係で相対的に決定される。従って、回動開閉可能な部材が存在し、当該回動開閉可能な部材とケーブルで接続されている部材が存在すれば、そこにはケーブルの取り廻しが必要となるため、本発明の構成が適用可能となる。具体的には、例えば、後方カバープレート７０Ｐと遊技板１１の後面側部品との間でケーブルが取り廻されていれば、そこに本発明を適用してもよい。
【００９６】
（３）前記実施形態では、ケーブル規制突壁４１はケーブル中間可動部９１Ｃの上下動を許容するように構成していたが、例えば、ケーブルカバー４０の下端部を閉じてケーブル導出孔４５をケーブル中間可動部９１Ｃと同径にするなどして、ケーブル中間可動部９１Ｃの前面扉側端部が上下動しないように固定してもよい。
【００９７】
（４）ケーブル規制突壁４１の形状は、前面扉９５を閉鎖したときに前面枠７５（具体的には、下皿誘導カセット８８）と干渉しない形状であれば傾斜形状や円弧形状等、適宜形成可能である。また、ケーブル収容部９１Ｓも、ケーブル規制突壁４１の形状に応じて、ケーブル規制突壁４１が収容されるような形状で適宜形成すれば良い。即ち、本発明には、扉を閉鎖する途中で、ケーブル中間可動部に対するケーブル規制突壁の当接状態が維持されていないものも含まれる。
【００９８】
（５）前記実施形態では、前面扉９５を閉鎖したときに、ケーブル規制突壁４１のうち傾斜ガイド部４１Ｂの略全体がケーブル収容部９１Ｓに収容されていたが、ケーブル規制突壁４１の先端縁が、ケーブル収容部９１Ｓのうち回動軸から離れた側の縁部と同じかもしくは縁部より回動軸側に配置されていればよく、ケーブル規制突壁４１の遊技機本体９０方向への突出量は、適宜設定できる。これにより、ケーブル規制突壁４１をケーブル収容部９１Ｓに更に近い位置まで突出させることができ、前面扉９５の閉鎖時にハーネス中間可動部９１Ｃをケーブル収容部９１Ｓに一層収容し易くなる。また、ケーブル規制突壁４１全体がケーブル収容部９１Ｓに収容されるようにしてもよいし、ケーブル規制突壁４１の内面のうち先端縁が、ケーブル収容部９１Ｓのうち回動軸から離れた側の開口縁と面一かもしくは開口縁より回動軸側となれば、ケーブル規制突壁４１がケーブル収容部９１Ｓに収容されていなくてもよい。
【００９９】
（６）ケーブル１００には、前面扉９５と遊技機本体９０との間で信号を授受するための光ファイバーケーブルや、前面扉９５と遊技機本体９０との分離を防ぐためのワイヤーとしてのケーブルが含まれていてもよい。
【符号の説明】
【０１００】
１０    パチンコ遊技機
３２    ケーブルクリップ（ベース体側ケーブル固定部）
４０    ケーブルカバー
４１    ケーブル規制突壁
４１Ｋ    ケーブル規制開口
４２    ケーブル受け壁
４３    連結補強壁
４４    ケーブル導出突部
４５    ケーブル導出孔
７５    前面枠
７５Ｗ    前面枠下部壁
８２    外枠
８８    下皿誘導カセット
９０    遊技機本体（ベース体）
９１Ａ    第１前面ハーネス
９１Ｂ    第２前面ハーネス
９１Ｃ    ハーネス中間可動部（ケーブル中間可動部）
９１Ｓ    ケーブル収容部
９２Ａ，９２Ｂ    コネクタ（電気接続部）
９３    下皿扉（前面下側開閉扉）
９５    前面扉（開閉体）
９５Ｃ，９８Ｃ    コネクタ
９５Ｘ    ケーブル孔
９５Ｙ    ケーブル収容溝
９７    装飾ランプ
９８    スピーカ
Ｋ１，Ｋ２，Ｋ３    ケーブル取り廻し空間
【図１】
2011050421.tif 000003
【図２】
2011050421.tif 000004
【図３】
2011050421.tif 000005
【図４】
2011050421.tif 000006
【図５】
2011050421.tif 000007
【図６】
2011050421.tif 000008
【図７】
2011050421.tif 000009
【図８】
2011050421.tif 000010
【図９】
2011050421.tif 000011
【図１０】
2011050421.tif 000012
【図１１】
2011050421.tif 000013
【図１２】
2011050421.tif 000014
【図１３】
2011050421.tif 000015
【図１４】
2011050421.tif 000016
【図１５】
2011050421.tif 000017
【図１６】
2011050421.tif 000018
【図１７】
2011050421.tif 000019
【図１８】
2011050421.tif 000020
【図１９】
2011050421.tif 000021
【図２０】
2011050421.tif 000022
【図２１】
2011050421.tif 000023